(57)【要約】【課題】互いに対向して配置された一対のフレーム部にそれぞれ設けられた位置決め部材により、フレームに対して位置決めされた防水パンを有する浴室の床構造を提供すること。【解決手段】フレーム２０と、フレーム２０上に載置される防水パン３０と、を備え、フレーム２０は、第１フレーム部２１Ｃと、第１フレーム部２１Ｃに対向して配置された第２フレーム部２１Ｄと、を有し、第１フレーム部２１Ｃ及び第２フレーム部２１Ｄは、防水パン３０に当接することにより、第１フレーム部２１Ｃ及び第２フレーム部２１Ｄに対する防水パン３０の位置決めをする位置決め部材６０を、それぞれ備える浴室の床構造１０である。【選択図】図２
2017115550.tif 000002
【特許請求の範囲】
【請求項１】
フレームと、前記フレーム上に載置される防水パンと、を備える浴室の床構造であって、
前記フレームは、第１フレーム部と、前記第１フレーム部に対向して配置された第２フレーム部と、を有し、
前記第１フレーム部及び前記第２フレーム部は、前記防水パンに当接することにより、前記第１フレーム部及び前記第２フレーム部に対する前記防水パンの位置決めをする位置決め部材を、それぞれ備える浴室の床構造。
【請求項２】
前記位置決め部材は、前記第１フレーム部、前記第２フレーム部の側面により構成される取付面にそれぞれ取り付けられて前記第１フレーム部、前記第２フレーム部にそれぞれ固定され、前記防水パンに当接する前記位置決め部材のパン当接部が前記取付面に接近するように変形する変形部を有する請求項１に記載の浴室の床構造。
【請求項３】
前記変形部は、前記取付面から離間する方向へ突出し前記防水パンに当接して潰れるリブを有する請求項２に記載の浴室の床構造。
【請求項４】
前記変形部は、前記位置決め部材の一部が他の部分よりも薄肉に形成されて構成された薄肉部を有する請求項２又は請求項３に記載の浴室の床構造。
【請求項５】
前記位置決め部材は、前記第１フレーム部、前記第２フレーム部に形成された孔に嵌合可能な嵌合部を有する請求項１〜請求項４のいずれかに記載の浴室の床構造。
【発明の詳細な説明】
【技術分野】
【０００１】
本発明は、浴室の床構造に関する。
【背景技術】
【０００２】
従来、躯体から所定の高さに調整されたフレーム上に防水パンが載置され、フレームに防水パンが固定させる浴室の床構造が知られている。浴室の床構造においては、使用者の体重による防水パンの撓みの抑制のために、防水パンの裏面の全領域に亘って補強用リブが格子状に設けられている（特許文献１参照）。
【先行技術文献】
【特許文献】
【０００３】
【特許文献１】特開２０１４−９５２３号公報
【発明の概要】
【発明が解決しようとする課題】
【０００４】
特許文献１に記載されている床構造においては、フレーム上に防水パンを載置して固定する際に、防水パンをフレームに対して適切に位置決めする必要がある。しかし、特許文献１に記載されている床構造においては、防水パンをフレームに対して位置決めすることについては一切開示されておらず、防水パンをフレームに対して適切に位置決めすることは困難であった。
【０００５】
本発明は、互いに対向して配置された一対のフレーム部にそれぞれ設けられた位置決め部材により、フレームに対して位置決めされた防水パンを有する浴室の床構造を提供することを目的とする。
【課題を解決するための手段】
【０００６】
上記目的を達成するため本発明は、フレーム（例えば、後述するフレーム２０）と、前記フレーム上に載置される防水パン（例えば後述する防水パン３０）と、を備える浴室の床構造（例えば、後述する浴室の床構造１０）であって、前記フレームは、第１フレーム部（例えば、後述する短辺梁２１Ｃ）と、前記第１フレーム部に対向して配置された第２フレーム部（例えば、後述する短辺梁２１Ｄ）と、を有し、前記第１フレーム部及び前記第２フレーム部は、前記防水パンに当接することにより、前記第１フレーム部及び前記第２フレーム部に対する前記防水パンの位置決めをする位置決め部材（例えば、後述する位置決め部材６０）を、それぞれ備える浴室の床構造を提供する。
【０００７】
また、前記位置決め部材は、前記第１フレーム部、前記第２フレーム部の側面により構成される取付面（例えば、後述する取付面２０３）にそれぞれ取り付けられて前記第１フレーム部、前記第２フレーム部にそれぞれ固定され、前記防水パンに当接する前記位置決め部材のパン当接部（例えば、後述する突起６８）が前記取付面に接近するように変形する変形部（例えば、後述する変形部６０１）を有することが好ましい。
【０００８】
また、前記変形部は、前記取付面から離間する方向へ突出し前記防水パンに当接して潰れるリブ（例えば、後述する突起６８）を有することが好ましい。
【０００９】
また、前記変形部は、前記位置決め部材の一部が他の部分よりも薄肉に形成されて構成された薄肉部（例えば、後述する薄肉部６１１）を有することが好ましい。また、前記位置決め部材は、前記第１フレーム部、前記第２フレーム部に形成された孔に嵌合可能な嵌合部（例えば、後述する貫通孔２０１）を有することが好ましい。
【発明の効果】
【００１０】
本発明によれば、互いに対向して配置された一対のフレーム部にそれぞれ設けられた位置決め部材により、フレームに対して位置決めされた防水パンを有する浴室の床構造を提供することができる。
【図面の簡単な説明】
【００１１】
【図１】本発明の一実施形態に係る床構造を有する浴室１を示す平面図である。
【図２】本実施形態に係る床構造１０を示す分解斜視図である。
【図３】本実施形態に係る床構造１０のフレーム２０を示す平面図である。
【図４】本実施形態に係る床構造１０の位置決め部材６０がフレーム２０に取り付けられている様子を示す前方斜視図である。
【図５】本実施形態に係る床構造１０の位置決め部材６０がフレーム２０に取り付けられている様子を示す後方斜視図である。
【図６】本実施形態に係る床構造１０の位置決め部材６０がフレーム２０に取り付けられている様子を示す断面図である。
【図７】本実施形態に係る床構造１０の位置決め部材６０を示す正面図である。
【図８】本実施形態に係る床構造１０の位置決め部材６０を示す平面図である。
【図９】本実施形態に係る床構造１０の位置決め部材６０を示す底面図である。
【図１０】本実施形態に係る床構造１０の位置決め部材６０を示す側面図である。
【発明を実施するための形態】
【００１２】
以下、本発明の一実施形態について、図面を参照しながら詳しく説明する。
図１は、本発明の一実施形態に係る床構造を有する浴室１を示す平面図である。図２は、本実施形態に係る床構造１０を示す分解斜視図である。図３は、本実施形態に係る床構造１０のフレーム２０を示す平面図である。
【００１３】
本実施形態の浴室の床構造１０は、マンションや戸建て住宅の浴室１を構成する。浴室１は、洗い場２と、浴槽３と、カウンタ４と、収納棚５と、鏡６と、水栓７と、シャワー部８と、ドア部９と、を有している。図１に示すように、浴槽３は洗い場２に隣接して設けられ、カウンタ４、収納棚５、鏡６、水栓７、シャワー部８及びドア部９は、洗い場２の上部に設けられる。
【００１４】
図２に示すように、浴室の床構造１０は、フレーム２０と、防水パン３０と、排水トラップ４０と、を備えている。
【００１５】
フレーム２０は、フレーム２０の外周部２１に接続される桟２３に設けられる支持脚部２２を調整することにより、躯体としての床スラブ１０１の上面から所定の高さの位置に配置される。また、防水パン３０の表面３１は洗い場２の床を構成し、防水パン３０の周縁部がフレーム２０の外周部２１に載置されることで、防水パン３０はフレーム２０に支持される。防水パン３０の裏面３５は、フレーム２０の桟２３の上面に支持される。これにより、防水パン３０は桟２３により補強される。
【００１６】
また、防水パン３０の裏面３５には、係合部３７が形成され、この係合部３７は桟２３の一部に設けられる穴部２５に係合される。これにより、桟２３と防水パン３０の裏面３５との間での音鳴りが防止され、また、防水パン３０の設置作業が容易とされる。また、排水トラップ４０は、床スラブ１０１とフレーム２０との隙間に設置される排水パイプ４４に接続される。排水トラップ４０の洗い場用流入口４１は、防水パン３０の排水口３２に接続される。
【００１７】
図３に示すように、フレーム２０は、外周部２１と、支持脚部２２（図２参照）と、桟２３と、取付部２４と、穴部２５と、位置決め部材６０と、を備えている。
【００１８】
外周部２１は、長方形状に形成されており、対向する一対の長辺梁２１Ａ，２１Ｂ及び対向する一対の短辺梁２１Ｃ，２１Ｄを有している。長辺梁２１Ａは、浴槽３側に位置する。長辺梁２１Ａの長手方向における長辺梁２１Ａの中央部は、長辺梁２１Ａの側面部及び底面部により構成される取付部２４を構成しており、取付部２４には排水トラップ４０が取り付けられる。短辺梁２１Ｃの一端は、長辺梁２１Ａの一端（図３のおける長辺梁２１Ａの下端）に接続されており、短辺梁２１Ｃの他端は、長辺梁２１Ｂの一端（図３における長辺梁２１Ｂの下端）に接続されている。短辺梁２１Ｄの一端は、長辺梁２１Ａの他端（図３における長辺梁２１Ａの上端）に接続されており、短辺梁２１Ｄの他端は、長辺梁２１Ｂの他端（図３における長辺梁２１Ｂの上端）に接続されている。
【００１９】
桟２３は、３つの桟、即ち、第１桟２３Ａ、第２桟２３Ｂ及び第３桟２３Ｃを有している。
第１桟２３Ａは、長辺梁２１Ａ及び長辺梁２１Ｂと平行の位置関係を有している。第１桟２３Ａの一端部は、短辺梁２１Ｃの下面（図３に図示されている短辺梁２１Ｃの面に対する反対側の面）であって、長辺梁２１Ｂから長辺梁２１Ａへと短辺梁２１Ｃの長手方向における長さの１／３程度近づいた位置の下面に接続されている。第１桟２３Ａの他端部は、短辺梁２１Ｄの下面（図３に図示されている短辺梁２１Ｄの面に対する反対側の面）であって、長辺梁２１Ｂから長辺梁２１Ａへと短辺梁２１Ｄの長手方向における長さの１／３程度近づいた位置の下面に接続されている。
【００２０】
第２桟２３Ｂは、短辺梁２１Ｃ及び短辺梁２１Ｄと平行の位置関係を有している。第２桟２３Ｂの一端部は、長辺梁２１Ａの下面（図３に図示されている長辺梁２１Ａの面に対する反対側の面）に設けられた支持脚２２Ａの側面に接続されている。第２桟２３Ｂの他端部は、図３に示す第１桟２３Ａの左側の側面に、一体的に接続されている。第３桟２３Ｃは、短辺梁２１Ｃ及び短辺梁２１Ｄと平行の位置関係を有している。第３桟２３Ｃの一端部は、長辺梁２１Ａの下面（図３に図示されている長辺梁２１Ａの面に対する反対側の面）に設けられた支持脚２２Ｂの側面に接続されている。第２桟２３Ｂの他端部は、図３に示す第１桟２３Ａの左側の側面に、一体的に接続されている。桟２３は外周部２１に比べて一段下方に配置されている。第２桟２３Ｂ及び第３桟２３Ｃの上面の部分であって、フレーム２０の長辺梁２１Ａと長辺梁２１Ｂとを結ぶ方向における中央位置の部分には、防水パン３０の係合部３７の爪状部材（図示せず）が挿通可能な穴部２５Ａ、穴部２５Ｂがそれぞれ形成されている。
【００２１】
支持脚部２２は、４つの支持脚２２Ａ〜２２Ｄを有しており、支持脚２２Ａ〜２２Ｄは、それぞれ高さ（長さ）調整機構を備えている。４本の支持脚２２Ａ〜２２Ｄが用いられて、フレーム２０の高さ調整が行われる。４本の支持脚のうち２本の支持脚２２Ａ，２２Ｂは、長辺梁２１Ａの下端に設置され、下方に延びている。長辺梁２１Ａにおいて支持脚２２Ａが配置されている位置は、長辺梁２１Ａの一端部から他端部へと長辺梁２１Ａの長手方向における長さの１／４程度近づいた位置である。長辺梁２１Ａにおいて支持脚２２Ｂが配置されている位置は、長辺梁２１Ａの他端部から一端部へと長辺梁２１Ａの長手方向における長さの１／４程度近づいた位置である。
【００２２】
また、他の２本の支持脚２２Ｃ，２２Ｄは、第１桟２３Ａの下端に設置され、下方に向けて延びる。第１桟２３Ａにおいて支持脚２２Ｃが配置されている位置は、第１桟２３Ａの一端部と、第２桟２３Ｂに接続されている第１桟２３Ａの部分との間の部分である。第１桟２３Ａにおいて支持脚２２Ｄが配置されている位置は、第１桟２３Ａの他端部と、第３桟２３Ｃに接続されている第１桟２３Ａの部分との間の部分である。支持脚２２Ａ〜２２Ｄによる外周部２１の高さ調整が終わった後に、支持脚２２Ａ〜２２Ｄの下端部は、床スラブ１０１上に載置され、接着剤等により床スラブ１０１に固定される。
【００２３】
排水トラップ４０は、上方に向けて開口する洗い場用流入口４１、及び、浴槽用流入口４２と、水平方向であって浴槽３から離間する方向に向けて開口する流出口４３と、を有する。洗い場用流入口４１は、防水パン３０の排水口３２に接続され、浴槽用流入口４２は、浴槽３中の排水口３Ａ（図１参照）に接続される。流出口４３は排水パイプ４４に接続される。
【００２４】
防水パン３０は全体として一枚の板状をなす。防水パン３０は、表面３１と、裏面３５と、を備える。表面３１は、洗い場２の領域全体をカバーする。防水パン３０の周縁部はフレーム２０の外周部２１の全体に亘り載置され、ネジ３０１（図６参照）によって外周部２１に固定される。なお、図６においては、説明の便宜上、外周部２１のうちの短辺梁２１Ｃのみを図示している。短辺梁２１Ｃと同様に、長辺梁２１Ａ、長辺梁２１Ｂ、短辺梁２１Ｄにも防水パン３０の周縁部は固定される。
【００２５】
防水パン３０の表面３１には（図２参照）、裏面３５へ連通する円形の排水口３２が形成される。表面３１は、表面３１上の４つの隅から排水口３２に向かって、それぞれ下り勾配で傾斜している。この排水口３２は、防水パン３０の表面３１において最も低い位置にあり、排水口３２の周辺には上面を浅く凹ませた形態の収容凹部３３が形成される。この収容凹部３３には、収容凹部３３の形状にほぼ整合し、取り外し可能な目皿が収容される。
【００２６】
防水パン３０の裏面３５には、防水パン３０の表面３１に作用する負荷に対する剛性を高める手段として、鉛直下方へ突出する複数のリブ３６（図６参照）が裏面３５の全域に亘って形成されている。リブ３６は、裏面３５の各辺に沿って格子状に設けられる。図６に示すように、リブ３６の下端とフレーム２０の外周部２１の下端面とは、上下方向において一致した位置関係にある。これにより、リブ３６の下端は桟２３の上面に当接して支持され、防水パン３０の表面３１の周縁部はフレーム２０の外周部２１に載置される。従って、リブ３６を介して、防水パン３０の表面３１は桟２３により補強される。また、長辺梁２１Ａ，２１Ｂに平行に延びるリブ３６と短辺梁２１Ｃ，２１Ｄに平行に延びるリブ３６とが交差する位置には、穴部２５Ａに係合して防水パン３０の裏面３５と、桟２３との接触による音鳴りを抑制するための係合部３７が取り付けられている。
【００２７】
図４〜図１０に示すように、位置決め部材６０は、短辺梁２１Ｃ、短辺梁２１Ｄ、及び、長辺梁２１Ｂの側面に取り付けられる。詳細には、前記第１フレーム部としての短辺梁２１Ｃの側面と、前記第２フレーム部としての短辺梁２１Ｄの側面と、は、互いに対向し合う位置関係で配置されており、これらの側面は、位置決め部材６０が取り付けられる取付面２０３を構成する。位置決め部材６０は、本体部６１と、中央凹状部６２と、変形部としての突起６８と、を有しており、これらは、樹脂材料、具体的には、ＰＰ（ポリプロピレン）により構成されて一体成形されている。
図４は、本実施形態に係る床構造１０の位置決め部材６０がフレーム２０に取り付けられている様子を示す前方斜視図である。図５は、本実施形態に係る床構造１０の位置決め部材６０がフレーム２０に取り付けられている様子を示す後方斜視図である。図６は、本実施形態に係る床構造１０の位置決め部材６０がフレーム２０に取り付けられている様子を示す断面図である。図７は、本実施形態に係る床構造１０の位置決め部材６０を示す正面図である。図８は、本実施形態に係る床構造１０の位置決め部材６０を示す平面図である。図９は、本実施形態に係る床構造１０の位置決め部材６０を示す底面図である。図１０は、本実施形態に係る床構造１０の位置決め部材６０を示す側面図である。
【００２８】
本体部６１は、中空の載頭円錐形状を有している。本体部６１の上端及び下端には、開口部が形成されている。本体部６１の内面であって、本体部６１の上端から本体部６１の高さの３分の１程下方の位置には、本体部６１の肉厚が薄く構成された薄肉部６１１を有している。薄肉部６１１は、本体部６１の軸心を中心として一周するように形成されており、本体部６１の内面が本体部６１の外方へ窪んだ溝状に形成されている。後述のように突起６８が防水パン３０のリブ３６に当接することにより、本体部６１に上部から強い力が作用した場合には、薄肉部６１１が変形し、薄肉部６１１を含めて薄肉部６１１から上側の部分は、防水パン３０のリブ３６に当接する突起６８がフレーム２０の取付面２０３に接近するように変形する変形部６０１を構成する。本体部６１の下端部は、本体部６１の下端部よりも本体部６１の上側の部分よりも、本体部６１の軸心に直交する方向に対する傾斜の傾きが大きく構成されている。
【００２９】
中央凹状部６２は、本体部６１の上端の開口部の周縁から下方へ、上下方向において本体部６１の下端と同一の位置に至るまで延びる略円筒形状部６２１を有しており、所定の直径方向における周壁の部分が拡径した部分拡径部６２２を有している。部分拡径部６２２においては、上下方向（図８における紙面の表面と裏面とを結ぶ方向）に貫通する貫通孔６２４が構成されている。中央凹状部６２の半径方向における部分拡径部６２２の中央部分においては、中央凹状部６２の底部から、中央凹状部６２と同軸的な位置関係で、中央凹状部６２よりも外径が小さい嵌合筒状部６４が、更に下方へ延びている。嵌合筒状部６４は、嵌合部を構成する。
【００３０】
嵌合筒状部６４は、有底の略円筒形状に形成されており、部分拡径部６２２に一致する嵌合筒状部６４の直径方向の側面（周面）の部分には、嵌合筒状部６４の上端から下端部近傍に至るまで、嵌合筒状部６４の内部と外部とを連通する貫通孔６４１が形成されている。貫通孔６４１の位置には、嵌合筒状部６４の下端部近傍から上方へフック部６４３が延びている。フック部６４３は、一対設けられており、貫通孔６４１の上端近傍に至るまで延びている。フック部６４３には、フック部リブ６４２が設けられている。フック部リブ６４２は、フック部６４３の外面であって、フック部６４３の延出方向に対する幅方向における中央位置に存在しており、フック部６４３の上端から下端に至るまで延びている。フック部６４３は、嵌合部を構成する。
【００３１】
中央凹状部６２に接続されている嵌合筒状部６４の上端部の部分は、抜止めリブ６４５が設けられている。抜止めリブ６４５は、嵌合筒状部６４の周方向へ等間隔で複数形成されている。抜止めリブ６４５は、嵌合筒状部６４の上端部から下方へ向って所定の位置に至るまで延びており、嵌合筒状部６４の周面から嵌合筒状部６４の外方へ突出している。嵌合筒状部６４の内部には、直径方向リブ６４６が設けられている。直径方向リブ６４６は、嵌合筒状部６４の直径方向であって、部分拡径部６２２が形成されている直径方向に直交する方向に延びる板状に形成されており、嵌合筒状部６４の内部空間を嵌合筒状部６４の軸心位置において２分割している。
【００３２】
突起６８は、本体部６１の上端の開口部の周縁に設けられている。突起６８は、平面視で開口部の周縁の周方向へ延びる長円形状を有しており、本体部６１の上端面６１３であって、部分拡径部６２２の部分を除く全周にわたって、等間隔で複数存在している。突起６８は、本体部６１の上端面６１３から上方へ、即ち、フレーム２０の取付面２０３から離間する方向へ突出している。突起６８は、本体部６１と比較して小さく構成されている。突起６８の突出端部は、防水パン３０のリブ３６に当接するパン当接部を構成し、当該当接により強い力がリブ３６から作用すると、潰れるように構成されている。突起６８は、変形部を構成する。
【００３３】
次に、本実施形態の浴室の床構造の施工の際の、フレーム２０に対する防水パン３０の位置決め及び固定について、説明する。
先ず、フレーム２０の第１フレーム部を構成する短辺梁２１Ｃの側面であって、短辺梁２１Ｄに対向する側面（取付面２０３）の一部に形成された２つの貫通孔２０１に、工具を使用せずに作業者の手で位置決め部材６０を掴んで、それぞれ位置決め部材６０の嵌合筒状部６４を挿入してゆき、フック部６４３をフレーム２０の内部空間へ押し込む。これにより、フック部６４３が中空のフレーム２０の内周面に当接して引っ掛かり、図４、図５に示すように、嵌合筒状部６４に接続されている中央凹状部６２の底部（図６に示す、中央凹状部６２と嵌合筒状部６４とで形成されている段状の部分）が取付面２０３に当接した状態で、フレーム２０に位置決め部材６０が固定される。
【００３４】
なお、図４、図５においては、説明の便宜上、フレーム２０については、短辺梁２１Ｃのみであって、且つ、位置決め部材６０については、１つのみ図示しているが、これのみならず、短辺梁２１Ｃに対向して配置された第２フレーム部を構成する短辺梁２１Ｄや、長辺梁２１Ｂについても、同様に、２つずつ取付面２０３に、位置決め部材６０を固定する。
【００３５】
次に、短辺梁２１Ｃ，２１Ｄに固定された位置決め部材６０の間に防水パン３０を落とし込むようにして挿入してゆく。この際、防水パン３０のリブ３６の下端部は、図６のおける上方から位置決め部材６０の本体部６１の側面（斜面）に当接するが、本体部６１は、載頭円錐形状を有しており、突起６８の下端部を短辺梁２１Ｃ，２１Ｄに固定された位置決め部材６０の間の位置（図６に示す左下方向）へガイドする。これにより、防水パン３０の突起６８の下端部は、本体部６１の側面に沿って摺動してゆくことで、防水パン３０は、最終的に位置決め部材６０により位置決めされる位置に近づいてゆく。
【００３６】
そして更に、防水パン３０を下方へ押圧することにより、図６に示すように、短辺梁２１Ｃ，２１Ｄに固定された位置決め部材６０のパン当接部としての突起６８の突出端部に、それぞれ防水パン３０の縁部近傍に設けられているリブ３６がそれぞれ当接した状態として、短辺梁２１Ｃ，２１Ｄに固定された位置決め部材６０の間に、防水パン３０を配置させて、フレーム２０の外周部２１に防水パン３０を載置する。このとき、長辺梁２１Ｂに固定された位置決め部材６０の位置決め部材６０においても、位置決め部材６０のパン当接部としての突起６８の突出端に、防水パン３０のリブ３６が当接する。
【００３７】
この際、位置決め部材６０の突起６８は、リブ３６から押圧されることにより、適宜潰される。また、防水パン３０の寸法のばらつきによる寸法誤差が大きく、突起６８だけが潰れることでは対応できない場合には、位置決め部材６０の突起６８がリブ３６から押圧されることにより、位置決め部材６０の薄肉部６１１が変形して、突起６８の突出端部が、フレーム２０の取付面２０３に接近するように変形して、防水パン３０の寸法のばらつきにより生ずる寸法誤差を吸収する。このように、短辺梁２１Ｃ，２１Ｄに固定された位置決め部材６０の突起６８が、パン当接部としてのリブ３６に当接して、変形部６０１が適宜変形することにより、防水パン３０は、フレーム２０に対して適切な位置に位置決めされる。そして、ネジ３０１によって、防水パン３０はフレーム２０に固定される。
【００３８】
本実施形態によれば、以下の効果が奏される。
本実施形態では、フレーム２０と、フレーム２０上に載置される防水パン３０と、を備える浴室の床構造１０は、フレーム２０は、第１フレーム部としての短辺梁２１Ｃと、短辺梁２１Ｃに対向して配置された第２フレーム部としての短辺梁２１Ｄと、を有する。短辺梁２１Ｃ、短辺梁２１Ｄは、防水パン３０のリブ３６に当接することにより、短辺梁２１Ｃ及び短辺梁２１Ｄに対する防水パン３０の位置決めをする位置決め部材６０を、それぞれ備える。
【００３９】
これにより、フレーム２０に対する防水パン３０の位置決めを、第１フレーム部としての短辺梁２１Ｃに設けられた位置決め部材６０と、短辺梁２１Ｃに対向して配置された第２フレーム部としての短辺梁２１Ｄに設けられた位置決め部材６０と、の間で防水パン３０を挟むようにして位置決めすることができる。このため、防水パン３０をフレーム２０に対して容易且つ適切に位置決めすることができる。
【００４０】
フレーム２０に対して防水パン３０を固定する際の位置決めの方法としては、例えば、予めフレーム２０の一部に、容易に変形しない金属製の位置決め部材を溶接又はネジにより固定しておいて、フレーム２０上に防水パン３０を載置してフレーム２０上で移動させて、防水パン３０の補強用のリブ３６を金属製の位置決め部材に当接させる方法が考えられる。しかし、このような方法では、金属製の位置決め部材は、高い精度が求められるため、適度に変形することが困難である。また、防水パン３０の寸法のばらつきによる寸法誤差を吸収するためのクリアランスを確保する必要がある。
【００４１】
このため、本実施形態のように、短辺梁２１Ｃに設けられた位置決め部材６０と、短辺梁２１Ｃに対向して配置された短辺梁２１Ｄに設けられた位置決め部材６０と、の間で防水パン３０を挟むようにして位置決めすることはできない。また、溶接又はネジにより金属製の位置決め部材を固定しなければならないため、工具が必要になり、取り付けに手間がかかる。また、位置決め部材は金属製なので、全方位で位置決めをすることができない。このように様々な問題が生ずる。
【００４２】
しかし、本実施形態では、上述のように位置決め部材６０同士で挟むようにして、フレーム２０に対して防水パン３０の位置決めをすることができるため、工具等を用いずに、容易且つ適切に位置決めすることができる。また、上述のように、金具を用いる場合には、フレーム２０上に防水パン３０を載置してフレーム２０上で移動させるため、防水パン３０の寸法のばらつきによる寸法誤差を吸収するためのクリアランスを、比較的大きく確保する必要があるが、本実施形態においては、フレーム２０上に防水パン３０を載置してフレーム２０上で移動させないため、防水パン３０の寸法のばらつきによる寸法誤差を吸収するためのクリアランスを、極力小さく抑えることができる。このように、金属製の位置決め部材を使用する場合に生ずる問題は、本実施形態の位置決め部材６０では問題とならない。
【００４３】
また、本実施形態によれば、位置決め部材６０は、第１フレーム部としての短辺梁２１Ｃ、第２フレーム部としての短辺梁２１Ｄの側面により構成される取付面２０３にそれぞれ取り付けられて、短辺梁２１Ｃ、短辺梁２１Ｄにそれぞれ固定される。そして、位置決め部材６０は、防水パン３０のリブ３６に当接する位置決め部材６０のパン当接部としての突起６８が取付面２０３に接近するように変形する変形部６０１を有する。これにより、適宜変形部６０１が変形することができ、この結果、防水パン３０の寸法のばらつきにより生ずる寸法誤差を吸収することができる。
【００４４】
また、本実施形態によれば、変形部は、取付面２０３から離間する方向へ突出し防水パン３０に当接して潰れる突起６８を有する。これにより、防水パン３０のリブ３６に当接する突起６８の部分変形するため、防水パン３０の寸法のばらつきが微少である場合に、僅かに潰れることにより、適切な位置決めを行なうことができる。
【００４５】
また、本実施形態によれば、変形部６０１は、位置決め部材６０の一部が他の部分よりも薄肉に形成されて構成された薄肉部６１１を有する。これにより、変形部６０１を大きく確保することができるため、防水パン３０の寸法のばらつきによる寸法誤差が大きい場合に、大きく変形することにより、適切な位置決めを行なうことができる。
【００４６】
また、本実施形態によれば、位置決め部材６０は、第１フレーム部としての短辺梁２１Ｃ、第２フレーム部としての短辺梁２１Ｄに形成された貫通孔２０１に嵌合可能な嵌合部としての嵌合筒状部６４、フック部６４３を有する。これにより、溶接やネジ止め等を行なわずに、嵌合部としての嵌合筒状部６４及びフック部６４３を、短辺梁２１Ｃ、短辺梁２１Ｄに容易に固定することができる。
【００４７】
以上、本発明の浴室の床構造１０の好ましい実施形態について説明したが、本発明は、上述した実施形態に制限されるものではなく、適宜変更が可能である。
例えば、本実施形態では、フレーム２０のうちの、外周部２１の３辺を構成する短辺梁２１Ｃ、短辺梁２１Ｄ，及び、長辺梁２１Ｂに、位置決め部材６０が２つずつ設けられていたが、この構成に限定されない。例えば、各辺に３つ以上位置決め部材６０を設けてもよいし、また、短辺梁２１Ｃ、及び、短辺梁２１Ｄの２辺を構成する外周部２１の各辺に、２つずつ位置決め部材６０を設けてもよいし、また、長辺梁２１Ａ、長辺梁２１Ｂ、短辺梁２１Ｃ、及び、短辺梁２１Ｄの４辺を構成する外周部２１の各辺に、２つずつ位置決め部材６０を設けてもよい。
【００４８】
また、フレーム、位置決め部材等を含めた床構造を有する浴室の構成は、本実施形態における浴室１の構成に限定されない。例えば、変形部は、本実施形態における変形部６０１、突起６８の構成に限定されない。変形部は、防水パン３０に当接する位置決め部材のパン当接部が取付面２０３に接近するように変形すればよい。
【００４９】
また、本実施形態では、フレーム２０を構成する短辺梁２１Ｃ，２１Ｄに固定された位置決め部材６０の間に、防水パン３０を落とし込むようにして挿入して、防水パン３０をフレームの内側に配置させていたが、この構成に限定されない。例えば、フレームの外側に防水パンを取り付ける構成としてもよい。
【符号の説明】
【００５０】
１…浴室
１０…浴室の床構造
２０…フレーム
２１Ｃ…短辺梁（第１フレーム部）
２１Ｄ…短辺梁（第２フレーム部）
３０…防水パン
６０…位置決め部材
６８…リブ（変形部）
２０１…貫通孔（嵌合部）
２０３…取付面
６０１…変形部
６１１…薄肉部
【図１】
2017115550.tif 000003
【図２】
2017115550.tif 000004
【図３】
2017115550.tif 000005
【図４】
2017115550.tif 000006
【図５】
2017115550.tif 000007
【図６】
2017115550.tif 000008
【図７】
2017115550.tif 000009
【図８】
2017115550.tif 000010
【図９】
2017115550.tif 000011
【図１０】
2017115550.tif 000012